(57)【要約】【課題】ユーザの手の特徴又はユーザが機器を操作するときの特徴に応じた形態で、ディスプレイに複数のアイコンを表示するよう処理する表示処理装置を提供すること。【解決手段】操作面を有する入力インターフェースを備えた機器をユーザが手のひらで持ち、当該ユーザが入力インターフェースの操作面を指で触れると所定の動作を行う表示処理装置は、入力インターフェースに対して行われたスライド操作に基づく軌跡を解析する解析部と、軌跡上に又は軌跡に沿って複数のアイコンを配置した画面の形態を決定する制御部と、制御部が決定した形態の画面をディスプレイに表示するよう処理する表示処理部とを備える。【選択図】図２
2014123159.tif 000002
【特許請求の範囲】
【請求項１】
操作面を有する入力インターフェースを備えた機器をユーザが手のひらで持ち、当該ユーザが前記入力インターフェースの前記操作面を指で触れると所定の動作を行う表示処理装置であって、
前記入力インターフェースに対して行われたスライド操作に基づく軌跡を解析する解析部と、
前記軌跡上に又は前記軌跡に沿って複数のアイコンを配置した画面の形態を決定する制御部と、
前記制御部が決定した形態の画面をディスプレイに表示するよう処理する表示処理部と、
を備えたことを特徴とする表示処理装置。
【請求項２】
請求項１に記載の表示処理装置であって、
前記解析部は、ユーザが指を前記入力インターフェースの前記操作面に触れた状態で動かした部分を前記軌跡として解析することを特徴とする表示処理装置。
【請求項３】
請求項１に記載の表示処理装置であって、
前記解析部は、ユーザが指を前記入力インターフェースの前記操作面に触れた状態で動かした部分に基づいて動き予測を行い、前記指が実際に前記操作面に触れた部分とその後の動き予測による部分とを併せた部分を前記軌跡として解析することを特徴とする表示処理装置。
【請求項４】
請求項１〜３のいずれか一項に記載の表示処理装置であって、
前記制御部が決定する形態の画面には、前記複数のアイコン及び前記軌跡を示す線が含まれることを特徴とする表示処理装置。
【請求項５】
請求項１〜４のいずれか一項に記載の表示処理装置であって、
前記制御部が決定する形態の画面には、各アイコンの脇の余白部分に配置される、該当する機能の名称が含まれることを特徴とする表示処理装置。
【請求項６】
請求項１〜５のいずれか一項に記載の表示処理装置であって、
前記制御部は、前記軌跡の長さに基づいて、前記複数のアイコンの数を決定することを特徴とする表示処理装置。
【請求項７】
請求項１〜６のいずれか一項に記載の表示処理装置であって、
前記複数のアイコンの内のいずれか一つを選択する操作が行われたとき、前記制御部は、前記軌跡に相似した別の軌跡上に、選択されたアイコンが示す機能に係る別のアイコンを配置した画面に変更することを特徴とする表示処理装置。
【発明の詳細な説明】
【技術分野】
【０００１】
本発明は、ディスプレイに複数のアイコンを表示するよう処理する表示処理装置に関する。
【背景技術】
【０００２】
現在、市販されている携帯電話やスマートフォン、ＰＤＡ等といった携帯型電子機器の一部には、入力インターフェースとして、ディスプレイと一体に成形されたタッチパネルが用いられている。当該機器のユーザは、タッチパネルの表面を指で触れることによって、所望の操作を行える。
【０００３】
図７は、携帯型電子機器を操作するユーザが当該機器を右手で持った状態を示す図である。図７に示すように、ユーザは機器全体を手のひらで持ち、タッチパネル上の所望の位置を親指で触れることで当該機器を操作する。このとき、機器のディスプレイには、アイコン等の様々な情報が表示される。例えば、当該機器が有する機能の内の１つを選択するためのメニュー画面が表示される。ディスプレイにメニュー画面が表示されているとき、ユーザは、ディスプレイに表示された各機能を示すアイコンを親指等で選択する。
【先行技術文献】
【特許文献】
【０００４】
【特許文献１】国際公開第２００９／０９０７０４号パンフレット
【発明の概要】
【発明が解決しようとする課題】
【０００５】
図８は、図７に示した携帯型電子機器のディスプレイに表示されるメニュー画面の例を示す。図８に示すメニュー画面には、各機能を表す５つのアイコンが特定の弧状に配置されている。ユーザは、アイコンが配置された図８に点線で示す曲線を指でなぞると、他のアイコンが当該曲線上に連なって表示される。図８に示した例は、曲線に沿って右上から左下になぞったときのメニュー画面の変化を示す。このように、ユーザは、ディスプレイと一体に成形されたタッチパネルの表面を、主に親指でなぞったりクリックすることによって所望の操作を行うことができる。
【０００６】
しかし、手の大きさは人それぞれ異なり、ユーザによっては持ち方も異なる。このため、メニュー画面等で配置されるアイコンの並び位置が固定されていると、ユーザによっては、親指の自然な動きが図８に点線で示した曲線に合致しない。このようなユーザは、機器の持ち方を変えたり、窮屈な思いをしながら親指を動かして、機器を操作する必要がある。
【０００７】
本発明の目的は、ユーザの手の特徴又はユーザが機器を操作するときの特徴に応じた形態で、ディスプレイに複数のアイコンを表示するよう処理する表示処理装置を提供することである。
【課題を解決するための手段】
【０００８】
本発明は、操作面を有する入力インターフェースを備えた機器をユーザが手のひらで持ち、当該ユーザが前記入力インターフェースの前記操作面を指で触れると所定の動作を行う表示処理装置であって、前記入力インターフェースに対して行われたスライド操作に基づく軌跡を解析する解析部と、前記軌跡上に又は前記軌跡に沿って複数のアイコンを配置した画面の形態を決定する制御部と、前記制御部が決定した形態の画面をディスプレイに表示するよう処理する表示処理部と、を備えた表示処理装置を提供する。
【０００９】
上記表示処理装置では、前記解析部は、ユーザが指を前記入力インターフェースの前記操作面に触れた状態で動かした部分を前記軌跡として解析する表示処理装置を提供する。
【００１０】
上記表示処理装置では、前記解析部は、ユーザが指を前記入力インターフェースの前記操作面に触れた状態で動かした部分に基づいて動き予測を行い、前記指が実際に前記操作面に触れた部分とその後の動き予測による部分とを併せた部分を前記軌跡として解析する表示処理装置を提供する。
【００１１】
上記表示処理装置では、前記制御部が決定する形態の画面には、前記複数のアイコン及び前記軌跡を示す線が含まれる表示処理装置を提供する。
【００１２】
上記表示処理装置では、前記制御部が決定する形態の画面には、各アイコンの脇の余白部分に配置される、該当する機能の名称が含まれる表示処理装置を提供する。
【００１３】
上記表示処理装置では、前記制御部は、前記軌跡の長さに基づいて、前記複数のアイコンの数を決定する表示処理装置を提供する。
【００１４】
上記表示処理装置では、前記複数のアイコンの内のいずれか一つを選択する操作が行われたとき、前記制御部は、前記軌跡に相似した別の軌跡上に、選択されたアイコンが示す機能に係る別のアイコンを配置した画面に変更する表示処理装置を提供する。
【発明の効果】
【００１５】
本発明に係る表示処理装置によれば、ユーザの手の特徴又はユーザが機器を操作するときの特徴に応じた形態で、ディスプレイに複数のアイコンを表示するよう処理することができる。その結果、機器を手で持つユーザは、自然な指の動きで操作できる。
【図面の簡単な説明】
【００１６】
【図１】一実施形態の表示処理装置の内部構成、並びに、当該表示処理装置とタッチパネル及びディスプレイとの関係を示すブロック図
【図２】一実施形態におけるメニュー画面の例を示す図
【図３】一実施形態におけるメニュー画面の例を示す図
【図４】手が小さなユーザの操作によるメニュー画面の一例を示す図
【図５】利き手が左手のユーザの操作によるメニュー画面の一例を示す図
【図６】図２に示すメニュー画面が表示されているときに、ユーザがメールのアイコンをクリックした後の画面の一例を示す図
【図７】携帯型電子機器を操作するユーザが当該機器を右手で持った状態を示す図
【図８】図７に示した携帯型電子機器のディスプレイに表示されるメニュー画面の例を示す図
【発明を実施するための形態】
【００１７】
以下、本発明に係る表示処理装置の実施形態について、図面を参照して説明する。以下説明する実施形態の表示処理装置を含む携帯型電子機器（以下「機器」という）は、携帯電話やスマートフォン、ＰＤＡ、取り外し可能なカーナビ機器、ポータブルテレビ等といった、ユーザが手で持って操作可能な機器である。本実施形態の機器は、入力インターフェースとして、ディスプレイの表示面に貼り合わされたタッチパネルを備える。当該機器のユーザは、機器全体を手のひらで持ち、親指の腹側の先端部（以下、単に「指」という）でタッチパネルに触れることで当該機器を操作する。当該操作には、ユーザが指をタッチパネルに触れながら動かすスライド操作、クリック操作及びフリック操作等が含まれる。
【００１８】
図１は、一実施形態の表示処理装置の内部構成、並びに、当該表示処理装置とタッチパネル及びディスプレイとの関係を示すブロック図である。図１に示すように、第１の実施形態の表示処理装置１００は、解析部１０１と、メモリ１０３と、制御部１０５と、表示処理部１０７とを備える。図１に示したタッチパネル５１は、ディスプレイ５３の表示面に貼り合わされている。ディスプレイ５３には、機器が有する機能の一覧又はその一部をアイコンで示すメニュー画面が表示される。なお、アイコンとは、ユーザが選択可能な対象を示す記号である。
【００１９】
以下、表示処理装置１００が備える各構成要素について説明する。
【００２０】
解析部１０１は、ユーザがタッチパネル５１に対して行った操作を解析する。解析部１０１は、ユーザの指がタッチパネル５１に触れた部分をまず認識する。したがって、ユーザがタッチパネル５１に対して行った操作がスライド操作であれば、解析部１０１は、ユーザが指をタッチパネル５１に触れた状態で動かした部分を軌跡として解析する。さらに、解析部１０１は、ユーザが指をタッチパネル５１に触れた状態で動かした部分に基づいて指の動き予測を行い、指が実際にタッチパネル５１に触れた部分とその後の動き予測による部分とを併せた部分を軌跡として解析しても良い。
【００２１】
メモリ１０３は、ディスプレイ５３に表示するアイコンの各デザインに係るデータ、各種設定情報、及び機器が有する各機能のプログラムを記憶する。制御部１０５は、解析部１０１が解析した軌跡に沿って複数のアイコンを配置したメニュー画面の形態を決定し、表示するアイコンのデザインに係るデータをメモリ１０３から読み出して表示制御部１０５に送る。また、制御部１０５は、ディスプレイ５３に表示されたアイコンの内、ユーザが指でクリック操作したアイコンに係る機能を実行する。表示処理部１０７は、ディスプレイ５３にメニュー画面を表示する際、制御部１０５が決定したメニュー画面の形態に応じて、各アイコンをディスプレイ５３に表示するよう処理する。
【００２２】
本実施形態では、機器が待ち受け状態のとき、ユーザがタッチパネル５１をスライド操作するとメニュー画面が表示される。このとき、解析部１０１は、当該スライド操作によるタッチパネル５１上の指の軌跡を解析し、制御部１０５は、当該軌跡上に複数のアイコンを所定の順に並べて表示するよう表示処理部１０７に指示する。図２及び図３は、一実施形態におけるメニュー画面の例を示す図である。図２に示す符号２０１Ａ及び図３に示す符号２０１Ｂは、メニュー画面を表示する前にユーザがタッチパネル５１を指でスライド操作した軌跡を示す。なお、図２の軌跡２０１Ａの操作を行ったユーザは、図３の軌跡２０１Ｂの操作を行ったユーザとは異なる。または、仮に同じユーザであっても、図２の軌跡２０１Ａの操作を行ったときの機器の持ち方は、図３の軌跡２０１Ｂの操作を行ったときの同機器の持ち方と異なる。
【００２３】
なお、メニュー画面を表示する際にユーザが行う操作は、図２及び図３に示したスライド操作に限らず、Ｓ字を描く操作や稲妻形のジグザグした操作であっても良い。また、メニュー画面には、アイコンに所定の形態で軌跡を重ねて表示しても良い。軌跡の表示形態は、図２及び図３に示したようにクレヨンで描いた線であっても、流れ星の尾のような線であっても、点線であっても良い。また、メニュー画面は、各アイコンの脇の余白部分に、該当する機能の名称を示しても良い。このとき、制御部１０５は、メニュー画面内における各アイコンの配置を解析して、各機能の名称を表示可能な余白部分を決定する。但し、メニュー画面に軌跡や各機能の名称を表示するか否かは、制御部１０５が、メモリ１０３に記録されている各種設定に応じて判断する。
【００２４】
以上説明したように、本実施形態では、ディスプレイ５３にメニュー画面を表示するためにユーザがタッチパネル５１をスライド操作すると、解析部１０１は、当該スライド操作を解析して軌跡を決定し、制御部１０５は、軌跡上に各アイコンを所定の順に並べて表示するよう表示処理部１０７に指示する。その結果、メニュー画面を構成するアイコンは、ユーザの指の動きと合致した線上に表示される。したがって、ユーザは、機器を手で持った状態のとき、ディスプレイ５３にメニュー画面が表示されているときの操作を自然な指の動きで行うことができる。
【００２５】
なお、図２及び図３に示した例では、軌跡上に５つのアイコンが表示されている。しかし、メニュー画面におけるアイコンの数は５つに限らず、軌跡の長さに応じて変えても良い。すなわち、制御部１０５は、解析部１０１が決定した軌跡の長さに基づいて、アイコンの数を決定する。図４は、手が小さなユーザの操作によるメニュー画面の一例を示す図である。図４に示すように、手が小さなユーザによる軌跡は短いため、アイコンの数を減らしてメニュー画面を表示する。
【００２６】
また、メニュー画面を表示するためにユーザが左手の指でスライド操作を行うと、図５に示すように、図２及び図３とは弧の向きが左右逆の軌跡上にアイコンが表示される。したがって、ユーザは、利き手によらず自然な指の動きで操作することができる。
【００２７】
図６は、図２に示すメニュー画面が表示されているときに、ユーザがメールのアイコンをクリックした後の画面の一例を示す図である。図６に示すように、解析部１０１によってメールのアイコンがクリック操作されたことが判断されると、制御部１０５は、メールに係る各機能のデータをメモリ１０３から読み出して、軌跡２０１Ａに相似した軌跡２０１Ｃ上にメールに係る各機能のアイコンを所定の順に並べた画面に変更するよう表示処理部１０７に指示する。なお、図６に示した例では、軌跡２０１Ａはそのままの大きさのまま、軌跡２０１Ａを縮小した大きさの軌跡２０１Ｃが表示されているが、他の形態として、軌跡２０１Ａを縮小して、軌跡２０１Ｃを元の軌跡２０１Ａの大きさと同じ大きさで表示しても良い。
【００２８】
なお、本実施形態では、タッチパネルを備えた機器を例に説明したが、入力インターフェースとしてのタッチパネル又はタッチパッドをリモコン等の別体として備えた機器にも適用可能である。
【産業上の利用可能性】
【００２９】
本発明に係る表示処理装置は、ディスプレイに複数のアイコンを表示するよう処理する携帯型電子機器の表示処理装置等として有用である。
【符号の説明】
【００３０】
１００  表示処理装置
１０１  解析部
１０３  メモリ
１０５  制御部
１０７  表示処理部
５１  タッチパネル
５３  ディスプレイ
【図１】
2014123159.tif 000003
【図２】
2014123159.tif 000004
【図３】
2014123159.tif 000005
【図４】
2014123159.tif 000006
【図５】
2014123159.tif 000007
【図６】
2014123159.tif 000008
【図７】
2014123159.tif 000009
【図８】
2014123159.tif 000010